(57)【要約】【課題】静電ピニング装置とした場合に特許文献２に記載のものと同様の効果があるばかりでなく、テープ状とした放電電極の幅方向の傾きを簡単に調整できることにより、静電ピニング装置とした場合には成形されるシートの厚みを微妙に調整できる、長尺処理物の放電処理装置を提供する。【解決手段】放電電極１をテープ状としてこれを繰り出す繰出ユニット２と巻き取る巻取ユニット３との間に張架し、これら繰出ユニット２及び巻取ユニット３を繰出側及び巻取側のそれぞれの傾斜ステージ１３上に設置し、この傾斜ステージ１３にて繰出ユニット２及び巻取ユニット３を傾動させることにより、テープ状の放電電極１の幅方向の傾きを調整できるようにした。【選択図】図１
2008296464.tif 000002
【特許請求の範囲】
【請求項１】
直線に沿って延びる放電電極とこれと平行な対向電極との間で放電させ、これらの間にフィルム等の長尺処理物を通過させて帯電又は改質或いは除電する長尺処理物の放電処理装置において、前記放電電極をテープ状としてこれを繰り出す繰出ユニットと巻き取る巻取ユニットとの間に張架し、これら繰出ユニット及び巻取ユニットを繰出側及び巻取側のそれぞれの傾斜ステージ上に設置し、この傾斜ステージにて繰出ユニット及び巻取ユニットを傾動させることにより、前記テープ状の放電電極の幅方向の傾きを調整できるようにしたことを特徴とする長尺処理物の放電処理装置。
【請求項２】
傾斜ステージは、微動ねじを回すことにより傾動テーブルの円弧状凸面がステージ本体の円弧状凹面に沿って摺動回転するものであることを特徴とする請求項１に記載の長尺処理物の放電処理装置。
【請求項３】
放電電極の長さ方向をＸ方向、これと直交し長尺処理物が移動する方向をＹ方向、これと直交し放電電極と対向電極とが向き合う方向をＺ方向としたとき、繰出側及び巻取側の傾斜ステージを繰出側及び巻取側のそれぞれのＸ軸ステージ上に設置し、このＸ軸ステージにより繰出ユニット及び巻取ユニットとの間の間隔を調整できるようにしたことを特徴とする請求項１又は２に記載の放電処理装置。
【請求項４】
繰出側及び巻取側のＸ軸ステージを繰出側及び巻取側のそれぞれのＹ軸ステージ上に設置し、このＹ軸ステージにより放電電極の位置を長尺処理物の移動方向に調整できるようにしたことを特徴とする請求項３に記載の放電処理装置。
【請求項５】
繰出側及び巻取側のＹ軸ステージを繰出側及び巻取側のそれぞれのＺ軸ステージ上に設置し、このＺ軸ステージにより放電電極と対向電極との間の間隔を調整できるようにしたことを特徴とする請求項４に記載の放電処理装置。
【請求項６】
繰出側及び巻取側のＺ軸ステージを繰出側及び巻取側のそれぞれのＹ軸レールに摺動可能に搭載し、繰出ユニット及び巻取ユニットを、繰出側及び巻取側のそれぞれの傾斜ステージ、Ｘ軸ステージ、Ｙ軸ステージ、Ｚ軸ステージと共にＹ軸レールに沿って移動できるようにしたことを特徴とする請求項５に記載の放電処理装置。
【発明の詳細な説明】
【技術分野】
【０００１】
本発明は、直線に沿って延びる放電電極とこれと平行な対向電極との間で放電させ、これらの間にフィルム等の長尺処理物を通過させて、長尺処理物を対向電極に接触させて冷却するために帯電させたり又は表面を改質したり除電するための、長尺処理物の放電処理装置に関する。
【背景技術】
【０００２】
本出願人は、溶融押出成形された樹脂シートを冷却するため、放電電極からの放電により樹脂シートを帯電させて対向電極となる冷却体に接触させる静電ピニング装置として、特許文献１（特開平１１−１８８７７７号公報）に開示されたものを提案している。
【０００３】
この静電ピニング装置は、放電電極がタングステン等の金属ワイヤである帯電ワイヤで、この帯電ワイヤを、繰出ユニットと巻取ユニットとの間に張架して繰出ユニットで繰り出しながら巻取ユニットで巻き取るようにし、また、繰出ユニット側と巻取ユニット側のそれぞれに帯電ワイヤを貫通案内する保護管を配置し、これら保護管を帯電ワイヤの軸線方向に位置調整可能にそれぞれの保護管ホルダに装着することにより、帯電ワイヤの振動を保護管で抑制しながら、帯電ワイヤの新しい部分を常時連続的に又はある時間間隔で間欠的に繰り出すことができるとともに、保護管を位置調整することにより、シート幅の変更に容易に対応できるようになっている。
【０００４】
しかし、この静電ピニング装置では、樹脂シートを帯電させる放電電極がタングステン等の金属ワイヤ（帯電ワイヤ）であるため、その放電電流を高くすると帯電ワイヤの振動が大きくなるため、放電電流を大きくすることができず、また、ワイヤであることから帯電面積を確保できず、このようなことから、ピニング効果が低かった。
【０００５】
一方、特許文献２（特開２００５−１８６６１６号公報）には、放電電極を複数の突起を設けたテープ状電極とし、このテープ状電極を繰出ローラと巻取ローラとの間に張架し、テープ状電極の中央部を中央部支持部材により溶融シート状体の幅方向に沿って直線状に伸ばした状態で支持するとともに、溶融シート状体の両側辺部側に位置するテープ状電極の耳部を耳部支持部材により電極中央部よりも溶融シート状体の搬送方向の下流側に変位させた状態で支持し、また、シート搬送方向の下流側への電極耳部の変位量を一対の変位量調節機構で調節し、繰出ローラから繰り出されたテープ状電極を、反対側の巻取ローラで巻き取ることにより、溶融シート状体の幅方向に沿ってテープ状電極を走行させるようにした機構が開示されている。
【０００６】
この特許文献２に記載のものは、テープ状電極とすることにより、ワイヤとした場合における上記のような問題を解消でき、また、テープ状電極の耳部を溶融シート状体の搬送方向の下流側に変位させた状態で、溶融シート状体の幅方向に沿ってテープ状電極を走行させることにより、溶融シート状体にテープ状電極が接触するという事態の発生を防止しつつ、常に新たなテープ状電極を溶融シート状体の幅方向に沿って位置させることにより、昇華物等の不純物が電極に付着すること等に起因した密着不良の発生を防止できるという効果はあるが、テープ状電極の幅方向の傾きを調整するようにはなっていない。
【０００７】
テープ状電極の幅方向の傾きにより溶融シート状体との対向面積が変わり、それに伴いピニング効果が変化し、これが成形されるシートの厚みに影響するので、特許文献２に記載のものでは、成形されるシートの厚みを微妙に調整することができない。
【特許文献１】特開平１１−１８８７７７号公報
【特許文献２】特開２００５−１８６６１６号公報
【発明の開示】
【発明が解決しようとする課題】
【０００８】
本発明の課題は、静電ピニング装置とした場合に特許文献２に記載のものと同様の効果があるばかりでなく、テープ状とした放電電極の幅方向の傾きを簡単に調整できることにより、静電ピニング装置とした場合には成形されるシートの厚みを微妙に調整でき、表面改質装置とした場合には表面改質を微妙に調整でき、除電装置とした場合には除電効果を微妙に調整することができる、長尺処理物の放電処理装置を提供することにある。
【課題を解決するための手段】
【０００９】
本発明は、直線に沿って延びる放電電極とこれと平行な対向電極との間で放電させ、これらの間にフィルム等の長尺処理物を通過させて帯電又は改質或いは除電する長尺処理物の放電処理装置において、放電電極をテープ状としてこれを繰り出す繰出ユニットと巻き取る巻取ユニットとの間に張架し、これら繰出ユニット及び巻取ユニットを繰出側及び巻取側のそれぞれの傾斜ステージ上に設置し、この傾斜ステージにて繰出ユニット及び巻取ユニットを傾動させることにより、テープ状の放電電極の幅方向の傾きを調整できるようにしたことを特徴とする。
【００１０】
請求項２に係る発明は、傾斜ステージを、微動ねじを回すことにより傾動テーブルの円弧状凸面がステージ本体の円弧状凹面に沿って摺動回転する構造としたものである。
【００１１】
請求項３に係る発明は、放電電極の長さ方向をＸ方向、これと直交し長尺処理物が移動する方向をＹ方向、これと直交し放電電極と対向電極とが向き合う方向をＺ方向としたとき、繰出側及び巻取側の傾斜ステージを繰出側及び巻取側のそれぞれのＸ軸ステージ上に設置し、このＸ軸ステージにより繰出ユニット及び巻取ユニットとの間の間隔を調整できるようにしたものである。
【００１２】
請求項４に係る発明は、繰出側及び巻取側のＸ軸ステージを繰出側及び巻取側のそれぞれのＹ軸ステージ上に設置し、このＹ軸ステージにより放電電極の位置を長尺処理物の移動方向に調整できるようにしたものである。
【００１３】
請求項５に係る発明は、繰出側及び巻取側のＹ軸ステージを繰出側及び巻取側のそれぞれのＺ軸ステージ上に設置し、このＺ軸ステージにより放電電極と対向電極との間の間隔を調整できるようにしたものである。
【００１４】
請求項６に係る発明は、繰出側及び巻取側のＺ軸ステージを繰出側及び巻取側のそれぞれのＹ軸レールに摺動可能に搭載し、繰出ユニット及び巻取ユニットを、繰出側及び巻取側のそれぞれの傾斜ステージ、Ｘ軸ステージ、Ｙ軸ステージ、Ｚ軸ステージと共にＹ軸レールに沿って移動できるようにしたものである。
【発明の効果】
【００１５】
本発明によれば、放電電極をテープ状としたので、放電電流を大きくできるとともに、繰出ユニットから繰り出し、巻取ユニットで巻き取りことにより、劣化や汚れのない新しい部分で放電させることができるので、ピニング効果を高めることができ、それに加えて、繰出ユニット及び巻取ユニットを傾斜ステージで傾動させることにより、テープ状とした放電電極の幅方向の傾きを調整できるので、静電ピニング装置とした場合には成形されるシートの厚みを微妙に調整できる。また、表面改質装置とした場合には表面改質を微妙に調整でき、除電装置とした場合には除電効果を微妙に調整することができる。
【００１６】
請求項２に係る発明によれば、傾斜ステージが、微動ねじを回すことにより傾動テーブルの円弧状凸面がステージ本体の円弧状凹面に沿って摺動回転する構造であるので、テープ状とした放電電極の幅方向の傾きを微動ねじで微妙にかつ簡単に調整することができる。
【００１７】
請求項３に係る発明によれば、繰出ユニット及び巻取ユニットとの間の間隔をＸ軸ステージにより調整でき、請求項４に係る発明によれば、放電電極の位置をＹ軸ステージにより長尺処理物の移動方向に調整でき、請求項５に係る発明によれば、放電電極と対向電極との間の間隔をＺ軸ステージにより調整できる。
【００１８】
請求項６に係る発明によれば、本装置の全体をＹ軸レールに沿って移動できるので、異常時に緊急に退避させてトラブルを最小限に抑えることができる。
【発明を実施するための最良の形態】
【００１９】
次に、本発明の実施例を図面に基づいて詳細に説明する。
【実施例】
【００２０】
本実施例の放電処理装置は、放電電極として、例えば幅４ｍｍ、厚さ４０μｍの金属テープ（以下、「テープ電極」と言う）を用い、このテープ電極１を図１に示すように繰出ユニット２と巻取ユニット３との間に水平に張架し、繰出ユニット２の繰出リール２ａから繰り出しながら巻取ユニット３の巻取リール３ａで巻き取るようになっている。
【００２１】
繰出ユニット２と巻取ユニット３とは、テープ電極１を案内する機構が若干異なるものの、ほぼ同じ構造で、互いに逆向きに対向させてあるとともに、繰出側及び巻取側とも同じ構造の複合ステージユニット５上に搭載されているので、図２〜図４も参照して巻取側の構造についてのみ詳述する。
【００２２】
巻取ユニット３は、取付台６の正面に軸受けされた巻取リール３ａを、取付台６の裏面に取り付けられたステッピングモータ７にて回転させてテープ電極１を自動的に巻き取るもので、その際、取付台６の側面に取り付けられた放電幅調整ユニット８中を貫通させ、さらに、取付台６の正面に軸支された複数の案内ローラ９で案内するようになっている。
【００２３】
放電幅調整ユニット８は、テープ電極１を案内する案内溝１０ａ及びラック１０ｂを有する調整スライダ１０を、カバー１１から一部が突出するようにこれに摺動自在に装着するとともに、そのラック１０ａにカバー１１内においてピニオン（図示せず）を噛み合わせ、このピニオンを摘み１２で回すことにより、調整スライダ１０を摺動させてこれで覆われるテープ電極１の長さを調整できるようにしたものである。テープ電極１はアースされた対向電極（図示せず）と対向してこれに向かって放電することになるが、調整スライダ１０で覆われる長さ部分では放電しないことになるので、テープ電極１の有効放電長を、フィルム等の長尺処理物の幅に応じて対向電極の両端部で調整できることになる。
【００２４】
複合ステージユニット５は、４種類のステージを積み重ねたもので、テープ電極１の長さ方向をＸ方向、これと直交し長尺処理物が移動する方向をＹ方向、これと直交しテープ電極１と対向電極とが向き合う方向をＺ方向とすると、最上段のステージがＹ−Ｚ座標面で傾動する傾斜ステージ１３、これを搭載したその一つ下段のステージがＸ方向へスライドするＸ軸ステージ１４、これを搭載したその一つ下段のステージがＹ方向へスライドするＹ軸ステージ１５、これを搭載した最下段のステージがＺ方向へ昇降するＺ軸ステージ１６となっており、巻取ユニット３は、傾斜ステージ１３上に搭載されている。さらに、Ｚ軸ステージ１６は、Ｙ軸レール１７に沿ってＹ方向に摺動するＹ軸スライダ１８上に搭載されており、巻取ユニット３は、複合ステージユニット５と共にＹ軸レール１７に沿って前後に移動可能となっている。
【００２５】
傾斜ステージ１３は、ステージ本体１３Ａのアリ溝１３ａに傾動テーブル１３Ｂのアリほぞ１３ｂを摺動自在に嵌合させて、ウォームギアとウォームとを内部で噛み合せるとともに、傾動テーブル１３Ｂの円弧状凸面となっている下面をステージ本体１３Ａの円弧状凹面となっている上面に摺動自在に合わせ、ステージ本体１３Ａに設けられた微動ねじ１３ｃを回すことにより、傾動テーブル１３Ｂがステージ本体１３Ａの円弧状凹面に沿って微傾動するようにしたもので、その角度を目盛で読み取れるようになっている。巻取ユニット３は、この傾斜ステージ１３の傾動テーブル１３Ｂの平らな上面上にブラケット１９にて固定されている。
【００２６】
Ｘ軸ステージ１４とＹ軸ステージ１５とは、一部を共通化した構造、すなわち、Ｘ軸微動ねじ２０を回すことによりＸ軸スライドテーブル２１がＹ軸スライドテーブル２２上をＸ方向に摺動し、また、Ｙ軸微動ねじ２３を回すことによりＹ軸スライドテーブル２２がベース２４上をＹ方向に摺動するようになっている。傾斜ステージ１３のステージ本体１３Ａは、Ｘ軸スライドテーブル２１上に直接固定されている。
【００２７】
Ｚ軸ステージ１６は、ベース２５上に２組のレージトング機構２６を介して昇降テーブル２７を装着したもので、微動ねじ２８を回してレージトング機構２６を伸縮させることにより、昇降テーブル２７の高さを微調整できるようにしたものである。Ｙ軸ステージ１５のベース２４は昇降テーブル２７上に直接固定されている。
【００２８】
Ｚ軸ステージ１６のベース２５は、Ｙ軸レール１７に沿って摺動するＹ軸スライダ１８上に直接固定されている。Ｙ軸レール１７は、上レール部１７ａと一対の下レール部１７ｂとに分割されている。Ｙ軸スライダ１８は、上レール部１７ａを貫通させる断面口形で、上レール部１７ａばかりでなく下レール部１７ｂの上面に対しても摺動するようになっている。
【００２９】
繰出ユニット２側も巻取ユニット３側と同様の構造になっており、上記のような調整を繰出ユニット２側と巻取ユニット３側のそれぞれで行える。
【００３０】
従って、傾斜ステージ１３の微動ねじ１３ｃを回して傾動テーブル１３Ｂの角度を微調整することにより、テープ電極１の幅方向の傾きを微調整でき、Ｘ軸微動ねじ２０を回してＸ軸スライドテーブル２１の位置をＸ方向に微調整することにより、繰出ユニット２と巻取ユニット３との間隔を微調整でき、Ｙ軸微動ねじ２３を回してＹ軸スライドテーブル２２の位置をＹ方向に微調整することにより、繰出ユニット２と巻取ユニット３のＹ方向の位置を微調整でき、微動ねじ２８を回して昇降テーブル２７の高さを微調整することにより、繰出ユニット２及び巻取ユニット３のそれぞれの高さを微調整できる。
【００３１】
また、両側のＹ軸スライダ１８をＹ軸レール１７に沿って同時に摺動させることにより、繰出ユニット２及び巻取ユニット３をそれぞれの複合ステージユニット５及びＹ軸スライダ１８と共に大きく前後移動させることができる。その移動をモータ等を用いて自動的に行うようにしてもよい。
【図面の簡単な説明】
【００３２】
【図１】本発明の一実施例の放電処理装置の正面図である。
【図２】その巻取側の斜視図である。
【図３】同じく側面図である。
【図４】同じく平面図である。
【符号の説明】
【００３３】
１  テープ電極（放電電極）
２  繰出ユニット
２ａ  繰出リール
３  巻取ユニット
３ａ  巻取リール
５  複合ステージユニット
６  取付台
７  ステッピングモータ
８  放電幅調整ユニット
９  案内ローラ
１０  調整スライダ
１０ａ  案内溝
１０ｂ  ラック
１１  カバー
１２  摘み
１３  傾斜ステージ
１３Ａ  ステージ本体
１３Ｂ  傾動テーブル
１３ａ  アリ溝
１３ｂ  アリほぞ
１３ｃ  微動ねじ
１４  Ｘ軸ステージ
１５  Ｙ軸ステージ
１６  Ｚ軸ステージ
１７  Ｙ軸レール
１８  Ｙ軸スライダ
１９  ブラケット
２０  Ｘ軸微動ねじ
２１  Ｘ軸スライドテーブル
２２  Ｙ軸スライドテーブル
２３  Ｙ軸微動ねじ
２４  ベース
２５  ベース
２６  レージトング機構
２７  昇降テーブル
２８  微動ねじ
【図１】
2008296464.tif 000003
【図２】
2008296464.tif 000004
【図３】
2008296464.tif 000005
【図４】
2008296464.tif 000006